(57)【要約】【課題】一度の施工でドアが速やかに閉まるようにでき、施工の時間と経費が節減できるドア用蝶番の構造を提供する。【解決手段】ドア板及びドア枠の上下の位置にそれぞれ取り付けられる回転部分４と固定部分３は軸栓５によって軸固定の形式で固定され、固定部分３の２つの突起部分３１にはそれぞれ中が空洞の貫通穴３２がある。突起部分３１には平行に螺旋模様の穴３３があり、貫通穴３２が内側に貫通し互いに通じている。回転部分４はその一端の突起部４１に中が空洞の貫通穴４２があり、数個の横向きの螺旋状の穴４３が設けられていて、突起栓６、長いスプリング７、回転螺旋栓８を収納して、結合する。また、軸栓５の固定部分３に向いた面には、上下の位置にはそれぞれくぼみ５１があり、中間の位置には傾斜角度を持つ数個のくぼみ槽５２があって、ドア板が開けられた時の角度の変化を調整することができる。【選択図】図２Ａ
0003127854.tif 000002
【実用新案登録請求の範囲】
【請求項１】
ドア板及びドア枠の上下の一側面に、それぞれ回転部分と固定部分とが取り付けられ、前記回転部分と固定部分とはさらに軸栓によって軸固定され、
固定部分は、二つの突起部分にそれぞれ中が空洞状の貫通穴があって、さらに平行に螺旋模様の穴が空いており、貫通穴の内側に貫通して互いに通じ、
回転部分は、その一端の突起部に垂直に中が空洞の貫通穴があり、前記回転部分には、横向きの数個の螺旋状の穴があり、突起栓、長いスプリング、及び回転螺旋栓が収納されており、前記長いスプリングの両側は、突起栓の突起部分及び回転螺旋栓内のくぼみ口がはさむような形で結合し、回転螺旋栓の外側表面の外側の螺旋模様は、回転部分の螺旋状の穴に対応して結合し、長いスプリングの突っ張る力が調整され、
軸栓は、固定部分に向いた面の上下の位置には、それぞれくぼみがあって、回転部分の中間の位置には、傾斜角度を持つ数個のくぼみ槽があり、ドア板が開けられた時の角度の変化が調整可能であり、
回転部分にある長いスプリングがその弾力性により、ドアの閉鎖速度が向上されることを特徴とするドア用蝶番。
【考案の詳細な説明】
【技術分野】
【０００１】
本考案はドア用蝶番の構造に関し、ドア板及びドア枠の上下の位置にそれぞれ回転部分と固定部分とを取り付け、回転部分と固定部分とは、軸栓によって軸固定の形式で固定されていて、一度の施工でドアが速やかに閉まるようにすることを特徴とする。
【背景技術】
【０００２】
一般によく見られるドア板及びドア枠の組み立てには、上下の位置にそれぞれ蝶番を取り付けて、ドアの開閉を行なう。ドア板が開けられた後、自動的に閉まるようにする場合は、通常別に自動ドア閉鎖装置を取り付けて、その反作用の力によって、開けられたドアを元の位置に戻す。
【考案の開示】
【考案が解決しようとする課題】
【０００３】
しかしながら、この装置の場合、別に取り付けないとその効果が発揮できない上、ドアは蝶番を取り付けた後、さらに自動ドア閉鎖装置を取り付けるというのは、「二度手間」となり、時間の無駄となる。このため、「一度で施工」がすめば、時間の節約ができる外、経費の節減となり、より理想的である。
【課題を解決するための手段】
【０００４】
本考案の目的は、ドア用蝶番の構造を提供することであり、ドア板及びドア枠の上下の位置にそれぞれ回転部分と固定部分とを取り付け、回転部分と固定部分とは、軸栓によって軸固定の形式で固定されて、その固定部分の２つの突起部分には、それぞれ中が空洞の貫通穴がある。さらに、突起部分には平行に螺旋模様の穴が空いていて、貫通穴の内側に貫通していて、互いに通じている。回転部分の一端の突起部には、中が空洞の貫通穴が空いていて、さらに、回転部分には数個の横向きの螺旋状の穴が設けられていて、突起栓、長いスプリング、及び回転螺旋栓を収納して、結合するようになっている。また、軸栓の固定部分に向いた面の上下の位置にはそれぞれくぼみがあり、回転部分に向いた面の中間の位置には、傾斜角度を持つ数個のくぼみ槽があって、ドア板が開けられた時の角度の変化を調整することができる。このように、軸栓の上下にあるくぼみが、固定部分の螺旋模様の穴の長い螺旋状の栓に接触して、軸栓中間のくぼみ槽が長いスプリングの突っ張る力によって突起栓を押してその面に当たる。回転部分にある長いスプリングによって、弾力が強化されることにより、一度の施工でドア板の取り付けとドアが速やかに閉まる機能との両方を完了することができる。
【０００５】
（考案の効果）
本考案のドア用蝶番の構造は、ドア板及びドア枠の上下の位置にそれぞれ回転部分と固定部分とを取り付け、回転部分と固定部分とは、軸栓によって軸固定の形式で固定されている。回転部分には横向きの長いスプリングによってその弾力性を強化されることにより、一度の施工でドアが速やかに閉まるようにできる。したがって、時間の節約ができる外、経費の節減も可能である。
【考案を実施するための最良の形態】
【０００６】
まず、図１Ａ、図１Ｂ、図２Ａ、及び図２Ｂを参照いただきたい。本考案の一実施例によるドア用蝶番の構造は、ドア板１及びドア枠２の上下の一側面にそれぞれ回転部分４と固定部分３とが取り付けられている。前述回転部分４及び固定部分３はさらに、軸栓５によって軸固定されている。固定部分３の二つの突起部分３１にはそれぞれ中が空洞状の貫通穴３２があって、突起部分３１には平行に螺旋模様の穴３３が空いている。そして、貫通穴３２の内側に貫通していて互いに通じている。そして、回転部分４の一端の突起部４１には垂直に中が空洞の貫通穴４２があって、さらに、前述回転部分４には、横向きの数個の螺旋状の穴があって、突起栓６、長いスプリング７、及び回転螺旋栓８を収納して結合させる。また、軸栓５の固定部分３に向いた面の上下の位置には、それぞれくぼみ５１があって、さらに、回転部分４の中間の位置には、傾斜角度を持つ数個のくぼみ槽５２がある。前述長いスプリング７の両側は、突起栓６の突起部分６１及び回転螺旋栓８内のくぼみ口８１がはさむような形で結合する。そして、回転螺旋栓８の外側表面の外側の螺旋模様８２は、回転部分４の螺旋状の穴４３に対応して結合するようになっていて、長いスプリング７の突っ張る力を調整する。
【０００７】
このように、二組の回転部分４及び固定部分３がそれぞれドア板１及びドア枠２の上下の一側面に取り付けられた後、さらに、回転部分４の突起部４１が固定部分３の二つの突起部分３１の間にはめ込まれて、両者の貫通穴３２、４２に軸栓５が挿入されることで（図３参照）、軸栓５の上下にあるくぼみ５１によって長い螺旋状の栓３Ａが固定部分３の螺旋模様の穴３３に接触することで、軸栓５の中間の傾斜角度を持つくぼみ槽５２が長いスプリング７の突っ張る力によって押された突起栓６を受け止めて（図４参照）、ドア板１が開けられた時の角度の変化を調整するようになっている。
【０００８】
ドア板１及びドア枠２がそれぞれ回転部分４及び固定部分３に取り付けられた後、軸栓５によって回転部分４及び固定部分３が結合して（図１Ａ及び図１Ｂ参照）、回転部分４にある横向きの螺旋状の穴４３内に取り付ける長いスプリング７の長さがかなり長くなっていることにより、弾力性が強化されて、ドア板１が開けられた後（図４参照）、反対方向にドア板１が押されると、ドア板１は速やかに元の位置に戻る（図５及び図６参照）。このように、本実施例の構造は、組み立て後、従来の蝶番及び自動ドア閉鎖装置が二度の施工によって取り付けられるという不便さをなくし、一度の施工で二重の効果を発揮するための時間と経費の節約であることを特徴とする。
【図面の簡単な説明】
【０００９】
【図１Ａ】本考案の一実施例によるドア用蝶番の取り付け状態を示す模式図である。
【図１Ｂ】本考案の一実施例によるドア用蝶番の取り付け状態を示す拡大図である。
【図２Ａ】本考案の一実施例によるドア用蝶番の構造を示す分解斜視図である。
【図２Ｂ】本考案の一実施例によるドア用蝶番の構造を示す分解斜視図である。
【図３】本考案の一実施例によるドア用蝶番の構造を示す斜視図である。
【図４】本考案の一実施例によるドア用蝶番においてドアを開けた状態を示す断面図である。
【図５】本考案の一実施例によるドア用蝶番においてドアを閉める動作をした時の状態を示す断面図である。
【図６】本考案の一実施例によるドア用蝶番においてドアを閉めた状態を示す断面図である。
【符号の説明】
【００１０】
１  ドア板、２  ドア枠、３  固定部分、３１  突起部分、３２  貫通穴、３３  螺旋模様の穴、３Ａ  長い螺旋状の栓、４  回転部分、４１  突起部、４２  貫通穴、４３  螺旋状の穴、５  軸栓、５１  くぼみ、５２  くぼみ槽、６  突起栓、６１  突起部分、７  長いスプリング、８  回転螺旋栓、８１  くぼみ口、８２  外側の螺旋模様
【図１Ａ】
0003127854.tif 000003
【図１Ｂ】
0003127854.tif 000004
【図２Ａ】
0003127854.tif 000005
【図２Ｂ】
0003127854.tif 000006
【図３】
0003127854.tif 000007
【図４】
0003127854.tif 000008
【図５】
0003127854.tif 000009
【図６】
0003127854.tif 000010